(57)【特許請求の範囲】
【請求項１】
収納物を収納する容器本体と、その開口部に内嵌合または外嵌合されるとともに、前記収納物のための補助物を収納できる補助物空間を有した蓋体とからなる包装用容器であって、
前記蓋体の外周に、前記容器本体側に内嵌合される膨出部を介してフランジ部を形成するとともに、このフランジ部の外周に前記膨出部の下端より下方に延出する垂下部を形成し、
前記容器本体の開口部外側に形成したフランジ部の外周に前記蓋体側の垂下部が係合されることになる第１係合部を形成するとともに、当該容器本体のフランジ部より下方内側に位置する部分に、前記蓋体側の膨出部が係合されることになる第２係合部を形成したことを特徴とする蓋体の天板位置を変更可能にした包装用容器。
【請求項２】
収納物を収納する容器本体と、その開口部に嵌合されるとともに、前記収納物のための補助物を収納できる補助物空間を有した蓋体とからなる包装用容器であって、
前記蓋体の外周に、前記容器本体側に嵌合される膨出部を介してフランジ部を形成するとともに、このフランジ部の外周に前記膨出部の下端より下方に延出する垂下部を形成し、
この垂下部の上下両部分に、前記容器本体の開口部外周に形成したフランジ部の外側が係合されることになる上方係合部及び下方係合部をそれぞれ形成したことを特徴とする蓋体の天板位置を変更可能にした包装用容器。
【請求項３】
収納物を収納する容器本体と、その開口部に嵌合されるとともに、前記収納物のための補助物を収納できる補助物空間を有した蓋体とからなる包装用容器であって、
前記蓋体の外周に、前記容器本体のフランジ部外周係合される係合部を有したフランジ部を形成し、
前記蓋体の天板部と前記フランジ部との間を、このフランジ部上面から段々に高くなる蛇腹部によって液密的に連結したことを特徴とする蓋体の天板位置を変更可能にした包装用容器。
【発明の詳細な説明】
【０００１】
【産業上の利用分野】
本発明は、収納物を収納する容器本体と、これに嵌合される蓋体とからなる包装用容器に関し、特に、収納物に対して別途振りかけたり添加したりする収納物のための補助物をも収納するようにした包装用容器であって、例えばドレッシングを掛けたサラダ毎振った場合にも、ドレッシング等の液が漏れ出ないようにした包装用容器に関するものである。
【０００２】
【従来の技術】
収納物を収納する容器本体と、これに嵌合される蓋体とからなる包装用容器は、合成樹脂シートから形成されることが一般的であり、安価で衛生的なものでもあることから、近年ではお菓子やカット野菜等の食品を収納するものとして、種々なタイプのものが大量に使用されている。
【０００３】
この種の包装用容器に収納される対象として、お菓子やカット野菜等の食品を考えてみると、これらには、消費者のニーズに合わせるために、好みに応じて振りかけたり添加したりする塩やドレッシング等の調味料、あるいはこれらを食するための簡易フォークやスプーン等の飲食用具を付加することがなされることがある。以下では、これらの調味料や飲食用具を「補助物」というが、これらの補助物は、当該包装用容器とは別に、例えば陳列棚の隅、あるいはレジの横などに置かれていて、消費者が自由に使用できるようにしてはある。
【０００４】
しかしながら、これらの調味料や飲食用具等の補助物は、消費者が棚においてあることに気がつかなかったり、店員が消費者の買い物内容を確認して出すか出さないかを一々判断しなければならず、消費者のニーズに十分応えられなかったり、店員に作業負担を掛けることになっているのである。勿論、これらの補助物を、包装用容器内に収納物とともに入れておくことも十分考えられるのであるが、そのようにすると、食品等の収納物の十分な収納を行えないだけでなく、陳列場所を大きく取る商品となるため、何らかの工夫が必要になる。
【０００５】
例えば、揚げたお菓子に振るための塩や、カット野菜に掛けるためのドレッシングを補助物として容器内に収納した場合には、その全体に塩やドレッシングが行き渡るようにするために、かき混ぜ作業を行わなければならないが、このかき混ぜ作業は、別の容器に移し替えて行うのではなく、できればその包装用容器をそのまま使用して行いたい。そうなると、収納されているカット野菜にドレッシングを掛け、このカット野菜等を収納したまま当該包装用容器全体を振ることになると思うが、その際には中身が飛びでないように蓋をする必要があることは当然として、例えばドレッシング等が漏れ出ないようにしなければならないことは当然である。
【０００６】
そこで、本発明者は、一つの包装用容器内に、例えばカット野菜とこれに掛けられるべきドレッシングやフォーク等の補助物を分けて入れておくことができ、カット野菜を食するときにこのドレッシング等の補助物が簡単に取り出せ、しかもカット野菜上に掛けたドレッシングの混ぜ合わせを液漏れなく当該容器毎行えるようにするにはどうしたらよいか、について種々検討を重ねてきた結果、本発明を完成したのである。
【０００７】
【発明が解決しようとする課題】
本発明は、容器本体と蓋体とからなる包装用容器における以上のような実情に鑑みてなされたもので、その解決しようとする課題は、蓋体２０の天板部２１の位置を変更できるようにすることにより、ドレッシングや塩等の調味料、あるいはフォークやスプーン等の飲食用具等の補助物の収納が十分できて、ドレッシングのような液状物を掛けて全体を振ったときでも液漏れのない包装用容器を提供することにある。
【０００８】
【課題を解決するための手段】
上記課題を解決するために、まず、請求項１に係る発明の採った手段は、後述する実施の形態の説明中において使用する符号を付して説明すると、
「収納物５０を収納する容器本体１０と、その開口部に内嵌合または外嵌合されるとともに、収納物５０のための補助物３０を収納できる補助物空間２１ａを有した蓋体２０とからなる包装用容器１００であって、
蓋体２０の外周に、容器本体１０側に内嵌合される膨出部２２を介してフランジ部２４を形成するとともに、このフランジ部２４の外周に膨出部２２の下端より下方に延出する垂下部２３を形成し、
容器本体１０の開口部外側に形成したフランジ部１３の外周に蓋体２０側の垂下部２３が係合されることになる第１係合部１１を形成するとともに、当該容器本体１０のフランジ部１３より下方内側に位置する部分に、蓋体２０側の膨出部２２が係合されることになる第２係合部１２を形成したことを特徴とする蓋体の天板位置を変更可能にした包装用容器１００」
である。
【０００９】
すなわち、この請求項１に係る包装用容器１００は、図１〜図３に示すように、カット野菜等の収納物５０が収納される容器本体１０と、この容器本体１０の開口部に嵌合されて補助物３０を収納する補助物空間２１ａを有した蓋体２０とからなるものである。この包装用容器１００の蓋体２０は、当該包装用容器１００が販売のために陳列されたり購入されて持ち帰られる場合には、図１の左半分に示すように、少し持ち上がった状態で容器本体１０に嵌合される（以下、この状態を「浅嵌合」という）のであり、補助物３０の内のドレッシングを掛けたカット野菜を入れたまま振る場合には、図１の右半分で示すように、左半分に示した状態から高さｈだけ低くなった状態で嵌合される（以下、この状態を「深嵌合」という）のである。
【００１０】
以上の蓋体２０の容器本体１０に対する「浅嵌合」状態は、図１の左半分で示すように、容器本体１０側のフランジ部１３の外側端部に形成してある第１係合部１１に、蓋体２０側の膨出部２２下部に形成してある例えば下方係合部２６を係合させることにより行われるものであり、このような嵌合状態は、一般的には「外嵌合」と呼ばれている。この「浅嵌合」状態は、容器本体１０側の第１係合部１１と蓋体２０側の下方係合部２６との係合によってなされているため、少し力を入れるだけで解除できるものであり、持ち帰った当該包装用容器１００の開封も簡単に行えることを意味している。
【００１１】
なお、後述する実施形態の包装用容器１００においては、容器本体１０内に収納したカット野菜の乾燥や、お菓子の湿気吸収を防止するために、図１中の点線にて示すように、そのフランジ部１３上にトップシール６０を貼付するものである。このトップシール６０は、例えばカット野菜を衛生的に保護するものであり、鮮度維持をも行うものである。
【００１２】
一方、蓋体２０の容器本体１０に対する「深嵌合」状態は、図１の右半分で示すように、容器本体１０側のフランジ部１３の内側に形成してある第２係合部１２内に、蓋体２０側の、天板部２１の側壁とフランジ部２４との間に形成してある膨出部２２を強制嵌合させることにより行われるものであり、このような嵌合状態は、一般的には「内嵌合」と呼ばれている。この「深嵌合」状態にある当該包装用容器１００では、容器本体１０側の第２係合部１２と蓋体２０側のアンダーカット部２２ａとが、図１の右半分に示しているように、互いに完全に密着し合っているため、当該包装用容器１００を大きく振ったとしても、容器本体１０側のフランジ部１３と蓋体２０側のフランジ部２４との間をドレッシング等の液状物が外に漏れ出ることはないのである。
【００１３】
以上の「深嵌合」状態を形成するためには、前述した「浅嵌合」状態を乗り越えなければならない。しかしながら、「浅嵌合」は、前述した通り、容器本体１０側の第１係合部１１と蓋体２０側の下方係合部２６との係合によってなされているため、少し力を入れるだけで乗り越えられるのであり、容易に行えることである。
【００１４】
また、この包装用容器１００においては、上記の「浅嵌合」と「深嵌合」とを行ったときに、蓋体２０の天板部２１の高さを、図１中に示した「ｈ」分だけ変化させることができるようにしたものであり、「ｈ」分だけ高い場合にはその下の補助物空間２１ａを十分なものとし、低くした場合には包装用容器１００全体を小さくして、包装用容器１００を掴み易くしたものである。
【００１５】
この包装用容器１００の具体的な使用方法を、収納物５０としてカット野菜を、また補助物３０としてドレシングを例に採って説明すると、まず、コンビニエンスストアへの配送センター等において、容器本体１０内にカット野菜を詰め、容器本体１０のフランジ部１３上にトップシール６０を貼る。このトップシール６０上に必要な補助物３０を置いてから、容器本体１０に対して蓋体２０を嵌合するのである。この場合の嵌合は、容器本体１０側の第１係合部１１に蓋体２０側の下方係合部２６を係合させる前述した「浅嵌合」である。なお、トップシール６０上に補助物３０を置かないこともあり、またトップシール６０は必ずしも必要なものではない。
【００１６】
このようにした包装用容器１００を購入した消費者は、一旦蓋体２０を外して補助物３０を取り出し、この補助物３０の内の好きな量をカット野菜上に振りかける。その後に、蓋体２０を容器本体１０に対して「深嵌合」させるのであるが、「深嵌合」後の蓋体２０の補助物空間２１ａは、何も入っていない空間を形成するものである。このため、蓋体２０で容器本体１０の開口部を閉じた包装用容器１００全体を振れば、カット野菜である収納物５０は、図１の右半分にて示すように、容器本体１０内と蓋体２０の補助物空間２１ａ内との全体に広がりながらかき混ぜられるのである。勿論、この包装用容器１００を振っているときに、ドレッシングが零れ出るようがないことは前述した通りである。
【００１７】
そこで、蓋体２０を容器本体１０から外し、中に入っていたフォーク等の補助物３０を使用してカット野菜を食するのであるが、もし、ドレッシングの量が不足しているのであれば、残しておいたドレッシングを再度掛けて、上述した操作を行えばよいのである。
【００１８】
なお、この請求項１の包装用容器１００については勿論、後述する請求項２または請求項３の包装用容器１００についても、その少なくとも第２係合部及びこれに係合される膨出部２２の部分を、開口部に沿った全周に形成することがなされる。このようにするのは、「深嵌合」を開口部の全周にわたって行い、「浅嵌合」は部分的に行ってもよいものとしたものであり、より確実に液漏れを防止するものである。
【００１９】
従って、この請求項１に係る包装用容器１００は、蓋体２０の天板部２１の位置（高さ）の変更が可能となっているのであり、ドレッシングや塩等の調味料、あるいはフォークやスプーン等の飲食用具等の補助物３０を収納し得るのであり、ドレッシングのような液状物を掛けて全体を振ったときでも液漏れのないものであり、それぞれの場合に応じて蓋体２０の天板部２１の位置調整を行えるものとなっているのである。
【００２０】
上記課題を解決するために、請求項２に係る発明の採った手段は、
「収納物５０を収納する容器本体１０と、その開口部に嵌合されるとともに、収納物５０のための補助物３０を収納できる補助物空間２１ａを有した蓋体２０とからなる包装用容器１００であって、
蓋体２０の外周に、容器本体１０側に嵌合される膨出部２２を介してフランジ部２４を形成するとともに、このフランジ部２４の外周に膨出部２２の下端より下方に延出する垂下部２３を形成し、
この垂下部２３の上下両部分に、容器本体１０の開口部外周に形成したフランジ部１３の外側が係合されることになる上方係合部２５及び下方係合部２６をそれぞれ形成したことを特徴とする蓋体の天板位置を変更可能にした包装用容器１００」
である。
【００２１】
すなわち、この請求項２の包装用容器１００は、フランジ部２４の外周に膨出部２２の下端より下方に延出する垂下部２３を形成している点は、上記請求項１のそれと同じであるが、この垂下部２３の上下両部分に、容器本体１０の開口部外周に形成したフランジ部１３の外側が係合されることになる上方係合部２５及び下方係合部２６を、図５に示すようにそれぞれ形成したことが、上記請求項１のそれと異なっている点である。
【００２２】
これらの上方係合部２５及び下方係合部２６は、例えば突条を等間隔に形成して構成されるものであり、各上方係合部２５及び下方係合部２６を構成している各突条の上下位置をそれぞれ同一位置に形成してもよく、あるいは互い違いとなるように形成してもよいものであるが、互い違いにするとアンダーカットを多く採ることができて、容易に形成できるものである。
【００２３】
換言すれば、この請求項２の包装用容器１００は、図６に示すように、容器本体１０側のフランジ部１３の外端に形成した外端係合部１３ａを、容器本体１０側の下方係合部２６に係合させることにより、「浅嵌合」を行い、図７に示すように、容器本体１０側の外端係合部１３ａを下方係合部２６より上に形成してある上方係合部２５に係合させることにより、「深嵌合」を行えるようにしたものである。勿論、この「深嵌合」時には、容器本体１０側のフランジ部１３と蓋体２０側のフランジ部２４とは互いに密着し合っているため、液漏れを発生させるような隙間は存在していない。
【００２４】
従って、この請求項２に係る包装用容器１００も、蓋体２０の天板部２１の位置（高さ）の変更が可能となっているのであり、ドレッシングや塩等の調味料、あるいはフォークやスプーン等の飲食用具等の補助物３０を収納し得るのであり、ドレッシングのような液状物を掛けて全体を振ったときでも液漏れのないものであり、それぞれの場合に応じて蓋体２０の天板部２１の位置調整を行えるものとなっているのである。
【００２５】
さらに、上記課題を解決するために、請求項３に係る発明の採った手段は、
「収納物５０を収納する容器本体１０と、その開口部に嵌合されるとともに、収納物５０のための補助物３０を収納できる補助物空間２１ａを有した蓋体２０とからなる包装用容器１００であって、
蓋体２０の外周に、容器本体１０のフランジ部１３外周係合される係合部を有したフランジ部２４を形成し、
蓋体２０の天板部２１とフランジ部２４との間を、このフランジ部２４上面から段々に高くなる蛇腹部４０によって液密的に連結したことを特徴とする蓋体の天板位置を変更可能にした包装用容器１００」
である。
【００２６】
すなわち、この請求項３に係る包装用容器１００は、販売時でも、ドレッシングを掛けた後のシェイク時でも、容器本体１０に対する蓋体２０の嵌合を同一位置で行い、液漏れを防止するためには、蛇腹部４０を潰して蓋体２０の天板部２１を下げるようにしたものである。
【００２７】
つまり、補助物３０のための補助物空間２１ａを十分なものとするためには、図８中の実線にて示すように、蛇腹部４０を潰さないでおくものであり、ドレッシングを掛けたカット野菜を当該包装用容器１００中でかき混ぜる場合には、図８中の矢印にて示すように、天板部２１を押し下げて蛇腹部４０を潰すようにするのである。
【００２８】
従って、この請求項３に係る包装用容器１００は、蛇腹部４０をそのままにするかこれを潰すかによって、蓋体２０の天板部２１の位置（高さ）の変更が可能となっているのであり、ドレッシングや塩等の調味料、あるいはフォークやスプーン等の飲食用具等の補助物の収納が十分できて、ドレッシングのような液状物を掛けて全体を振ったときでも液漏れのないものとなっているのである。
【００２９】
【発明の実施の形態】
次に、以上のように構成した各請求項に係る発明を、図面に示した実施の形態である包装用容器１００について説明すると、図１〜図４には、請求項１に係る包装用容器１００が示してあり、この包装用容器１００は、お菓子やカット野菜等の収納物５０が収納される容器本体１０と、この容器本体１０の上方開口部に嵌合されて、塩やドレッシング、あるいはスプーンやフォーク等の補助物３０を収納するための補助物空間２１ａを有した蓋体２０とからなっている。本実施形態の容器本体１０及び蓋体２０は、合成樹脂を材料として形成したものであり、収納物５０等の収納を行う前には、それぞれが、例えば図４に示した蓋体２０のように、多数段積み（ネスティング）されるものである。
【００３０】
本実施形態の容器本体１０は、その上部に開口部を備えた所謂「深もの」として形成したものであり、その開口部の外周にフランジ部１３を一体的に形成したものである。このフランジ部１３は、水平な帯状のものとなって開口部の全周に位置しているものであり、このフランジ部１３のさらに外周端には、図１に示したように、後述する蓋体２０の垂下部２３が係合（外嵌合）されることになる第１係合部１１が形成してある。また、この容器本体１０側のフランジ部１３の内側には第２係合部１２が形成してあり、この第２係合部１２は、容器本体１０の上端開口部より少し大径の部分を有していて、後述する蓋体２０の膨出部２２が内嵌合される部分となっている。
【００３１】
蓋体２０は、図２及び図３に示したように、天板部２１を比較的大きく上方に持ち上げた形状のものとして形成することにより、収納物５０のための補助物３０を収納できる補助物空間２１ａを有したものであり、この天板部２１の外周に、容器本体１０側に内嵌合される膨出部２２を形成し、この膨出部２２のさらに外周に、容器本体１０側のフランジ部１３と略同じ水平な帯形状のフランジ部２４を形成したものである。
【００３２】
この蓋体２０に形成した膨出部２２の下部外周には、図３にて拡大して示したように、外側に膨出するアンダーカット部２２ａが形成してあり、このアンダーカット部２２ａには、図３中の仮想線にて示したように、容器本体１０側の第２係合部１２が係合されることになる。このアンダーカット部２２ａを有した膨出部２２が、図１に示したように、容器本体１０側の第２係合部１２に係合されたとき、当該蓋体２０を容器本体１０に対して「深嵌合」することになるものである。勿論、この「深嵌合」時には、容器本体１０側のフランジ部１３と蓋体２０側のフランジ部２４とは互いに密着し合うことになるものである。
【００３３】
そして、この容器本体１０を構成しているフランジ部２４のさらに外周には、膨出部２２の下端より下方に延出する垂下部２３が形成してあり、本実施形態の膨出部２２には、図２及び図３こ示したように、内方に膨出する下方係合部２６が形成してある。この下方係合部２６は、図１に示したように、これに容器本体１０側の第１係合部１１に係合されたとき、当該蓋体２０を容器本体１０に対して「浅嵌合」することになるものである。
【００３４】
なお、各蓋体２０には、図１〜図４に示したように、膨出部２２の所定部分にブロッキング防止突起２７が形成してあり、このブロッキング防止突起２７は、多数の蓋体２０を図４に示したように段積みしたときに、互いが嵌合し合わないようにするものである。
【００３５】
さて、図５〜図７には、請求項２及び４に係る包装用容器１００の一部が示してあるが、この包装用容器１００は、フランジ部２４の外周に膨出部２２の下端より下方に延出する垂下部２３を形成している点は、上記図１〜図４に示した包装用容器１００と同じであるが、この垂下部２３の上下両部分に、容器本体１０の開口部外周に形成したフランジ部１３の外側が係合されることになる上方係合部２５及び下方係合部２６を、図５に示すようにそれぞれ形成したことが異なっている点である。
【００３６】
この実施形態に係る包装用容器１００は、図６に示すように、容器本体１０側のフランジ部１３の外端に外端係合部１３ａを形成しておき、この外端係合部１３ａに蓋体２０側の下方係合部２６を係合させることにより、蓋体２０の容器本体１０に対する「浅嵌合」を行うようにしたものであり、一方、図７に示すように、垂下部２３の下方係合部２６より上方となる部分に上方係合部２５を形成しておき、この上方係合部２５に容器本体１０側の外端係合部１３ａを係合させることにより、蓋体２０の容器本体１０に対する「深嵌合」を行えるようにしたものである。勿論、この「深嵌合」時には、容器本体１０側のフランジ部１３と蓋体２０側のフランジ部２４とは互いに密着し合うことになるものである。
【００３７】
さらに、図８には、請求項３に係る包装用容器１００の一部が示してあるが、この包装用容器１００は、収納物５０を収納する容器本体１０と、その開口部に嵌合されるとともに、収納物５０のための補助物３０を収納できる補助物空間２１ａを有した蓋体２０とからなり、蓋体２０の外周に、容器本体１０のフランジ部１３外周係合される係合部を有したフランジ部２４を形成したものであることは、上記の実施形態の包装用容器１００と同様であるが、蓋体２０の天板部２１とフランジ部２４との間を、このフランジ部２４上面から段々に高くなる蛇腹部４０によって液密的に連結したことが異なる点である。
【００３８】
つまり、この図８に示した包装用容器１００は、蓋体２０の容器本体１０に対する嵌合位置を変えないで、蛇腹部４０を構成している複数の段部４１を図８中の仮想線にて示したように押し潰すことにより、天板部２１の位置を変更可能にしたものである。
【００３９】
【発明の効果】
以上、詳述した通り、まず請求項１に係る発明においては、上記実施形態にて例示したごとく、
「収納物５０を収納する容器本体１０と、その開口部に内嵌合または外嵌合されるとともに、収納物５０のための補助物３０を収納できる補助物空間２１ａを有した蓋体２０とからなる包装用容器１００であって、
蓋体２０の外周に、容器本体１０側に内嵌合される膨出部２２を介してフランジ部２４を形成するとともに、このフランジ部２４の外周に膨出部２２の下端より下方に延出する垂下部２３を形成し、
容器本体１０の開口部外側に形成したフランジ部１３の外周に蓋体２０側の垂下部２３が係合されることになる第１係合部１１を形成するとともに、当該容器本体１０のフランジ部１３より下方内側に位置する部分に、蓋体２０側の膨出部２２が係合されることになる第２係合部１２を形成したこと」
また、請求項２に係る発明においては、
「収納物５０を収納する容器本体１０と、その開口部に嵌合されるとともに、収納物５０のための補助物３０を収納できる補助物空間２１ａを有した蓋体２０とからなる包装用容器１００であって、
蓋体２０の外周に、容器本体１０側に嵌合される膨出部２２を介してフランジ部２４を形成するとともに、このフランジ部２４の外周に膨出部２２の下端より下方に延出する垂下部２３を形成し、
この垂下部２３の上下両部分に、容器本体１０の開口部外周に形成したフランジ部１３の外側が係合されることになる上方係合部２５及び下方係合部２６をそれぞれ形成したこと」
そして、請求項３に係る発明においては、
「収納物５０を収納する容器本体１０と、その開口部に嵌合されるとともに、収納物５０のための補助物３０を収納できる補助物空間２１ａを有した蓋体２０とからなる包装用容器１００であって、
蓋体２０の外周に、容器本体１０のフランジ部１３外周係合される係合部を有したフランジ部２４を形成し、
蓋体２０の天板部２１とフランジ部２４との間を、このフランジ部２４上面から段々に高くなる蛇腹部４０によって液密的に連結したこと」
にそれぞれその構成上の特徴があり、これにより、蓋体２０の天板部２１の位置を変更できるようにすることにより、ドレッシングや塩等の調味料、あるいはフォークやスプーン等の飲食用具等の補助物の収納が十分できて、ドレッシングのような液状物を掛けて全体を振ったときでも液漏れのない包装用容器１００を提供することができるのである。
【図面の簡単な説明】
【図１】請求項１の発明に係る包装用容器を示すもので、左半分で「浅嵌合」（外嵌合）した場合を、右半分で「深嵌合」（内嵌合）した場合を示す縦断面図である。
【図２】同包装用容器を構成する蓋体の拡大縦断面図である。
【図３】同蓋体の要部拡大断面図である。
【図４】同蓋体の複数を段積みした状態を示す部分断面図である。
【図５】請求項２に係る包装用容器を構成する蓋体の要部拡大縦断面図である。
【図６】同蓋体を容器本体に対して「浅嵌合」した状態を示す要部拡大断面図である。
【図７】同蓋体を容器本体に対して「深嵌合」した状態を示す要部拡大断面図である。
【図８】請求項３に係る包装用容器の要部拡大縦断面図である。
【符号の説明】
１００    包装用容器
１０    容器本体
１１    第１係合部
１２    第２係合部
１３    フランジ部
１３ａ    外端係合部
２０    蓋体
２１    天板部
２１ａ    補助物空間
２２    膨出部
２２ａ    アンダーカット部
２３    垂下部
２４    フランジ部
２５    上方係合部
２６    下方係合部
２７    ブロッキング防止突起
３０    補助物
４０    蛇腹部
４１    段部
５０    収納物
６０    トップシール
【図１】
0004684484.tif 000002
【図２】
0004684484.tif 000003
【図３】
0004684484.tif 000004
【図４】
0004684484.tif 000005
【図５】
0004684484.tif 000006
【図６】
0004684484.tif 000007
【図７】
0004684484.tif 000008
【図８】
0004684484.tif 000009